(57)【特許請求の範囲】
【請求項１】
段板の端部が載置固定される複数の水平段部と、蹴込み板が当接固定される複数の鉛直部とを有する一対のササラ桁における相対向する水平段部間に段板が掛け渡されて固定され、上部段板の先端部と下部段板の後端部との間それぞれに蹴込み板が装着されてなる階段において、
上記各段板は、上記水平段部に載置固定され、
上記各蹴込み板は、その上端が上記上部段板の先端部下面に当接され、その背面が上記鉛直部に当接され、且つその下端部前面が上記下部段板の後端面に当接されて固定されており、
上記鉛直部の下端部に、上記蹴込み板の装着案内用の案内部が設けられ、該案内部と上記蹴込み板の背面との間に空間が形成されていることを特徴とする階段。
【請求項２】
上記案内部は、上記蹴込み板を装着する際、該蹴込み板の下端部を所定の固定位置に案内するようになされていることを特徴とする請求項１に記載の階段。
【請求項３】
上記案内部の上端部と上記下部段板の後端上部との間の距離が、上記蹴込み板の厚みより大であることを特徴とする請求項１に記載の階段。
【請求項４】
請求項１に記載の階段の施工方法であって、
上記各段板を一対の上記ササラ桁に固定し作業用の仮階段とした後、固定された該各段板間に上記各蹴込み板をそれぞれ装着することを特徴とする階段の施工方法。
【請求項５】
請求項１に記載の階段の施工方法であって、
上記各蹴込み板を上記上部段板の先端下面に固定一体化しておき、この蹴込み板と上部段板とが一体化されたものを、対向配置された一対の上記ササラ桁に下方から上方に向かって順次取り付けることを特徴とする階段の施工方法。
【発明の詳細な説明】
【０００１】
【発明の属する技術分野】
本発明は、木造住宅等の木造建築物における木造の階段に関し、詳しくは、外観美麗で、施工性に優れた階段に関する。
【０００２】
【従来の技術及び発明が解決しようとする課題】
従来、木造住宅等の木造建築物における階段として、階段状の縁部を有する一対のササラ桁間に、段板及び蹴込み板を装着して構成されるササラ桁階段が知られている。
このササラ桁階段の施工方法としては、各段板のみを取り付けた後、各段板間に蹴込み板を装着する方法や、上方から下方に向かって段板及び蹴込み板を順次取り付けていく方法等があるが、従来の階段においては、段板及び／又は蹴込み板の取付作業に時間と手間が掛かり、また、仕上がりが悪化する等の問題があった。
【０００３】
また、従来の木造建築物における階段は、一般に、建築の比較的初期の段階に完成され、各種造作施工時等には、損傷や汚れを防止するため、樹脂フィルムや合板等の各種資材を用いて養生されていたが、このような従来の方法は、養生用資材の取り外しに手間が掛かる等の問題を有しており、また、損傷や汚れを完全に防止することは不可能である。
【０００４】
そこで、段板のみを取り付けて作業用の仮階段とし、造作工事後半に、段板化粧材に張り替え、また、蹴込み板を装着したりして、本来の階段として完成させる工法が提案されており、このような工法によれば、養生用資材を取り外しの手間や資源の無駄を減少させることができる。
しかし、このような工法においても、段板のみの仮階段に上記蹴込み板等を装着するための作業に時間と手間が掛かり、また、その作業中に段板や蹴込み板等に傷が付いてしまう等の問題があった。
【０００５】
従って、本発明の目的は、外観美麗で、施工性に優れた階段を提供することにある。
【０００６】
【課題を解決するための手段】
請求項１に記載の発明は、段板の端部が載置固定される複数の水平段部と、蹴込み板が当接固定される複数の鉛直部とを有する一対のササラ桁における相対向する水平段部間に段板が掛け渡されて固定され、上部段板の先端部と下部段板の後端部との間それぞれに蹴込み板が装着されてなる階段において、上記各段板は、上記水平段部に載置固定され、上記各蹴込み板は、その上端が上記上部段板の先端部下面に当接され、その背面が上記鉛直部に当接され、且つその下端部前面が上記下部段板の後端面に当接されて固定されており、上記鉛直部の下端部に、上記蹴込み板の装着案内用の案内部が設けられ、該案内部と上記蹴込み板の背面との間に空間が形成されていることを特徴とする階段を提供することにより、上記目的を達成したものである。
【０００７】
請求項２に記載の発明は、上記案内部が、上記蹴込み板を装着する際、該蹴込み板の下端部を所定の固定位置に案内するようになされていることを特徴とする請求項１に記載の階段を提供することにより、上記目的を達成したものである。
【０００８】
請求項３に記載の発明は、上記案内部の上端部と上記下部段板の後端上部との間の距離が、上記蹴込み板の厚みより大であることを特徴とする請求項１に記載の階段を提供することにより、上記目的を達成したものである。
【０００９】
請求項４に記載の発明は、請求項１に記載の階段の施工方法であって、
上記各段板を一対の上記ササラ桁に固定し作業用の仮階段とした後、固定された該各段板間に上記各蹴込み板をそれぞれ装着することを特徴とする階段の施工方法を提供するものである。
【００１０】
請求項５に記載の発明は、請求項１に記載の階段の施工方法であって、
上記各蹴込み板を上記上部段板の先端下面に固定一体化しておき、この蹴込み板と上部段板とが一体化されたものを、対向配置された一対の上記ササラ桁に下方から上方に向かって順次取り付けることを特徴とする階段の施工方法を提供するものである。
【００１１】
【発明の実施の形態】
以下、本発明の階段の一実施形態について図１〜図５を参照して説明する。ここで、図１は、本形態の階段を模式的に示す断面図であり、図２は、図１の階段の一部を拡大して示す断面図であり、図３は、図１の階段における段板のみを取り付けた状態を示す断面図であり、図４及び図５は、図１の階段の施工方法を説明するための説明図である。
【００１２】
本形態の階段は、図１及び図２に示されるように、段板１の端部が載置固定される複数の水平段部３ａと、蹴込み板２が当接固定される複数の鉛直部３ｂとを有する一対のササラ桁３（一方のみ図示する）における相対向する水平段部３ａ間に段板１が掛け渡されて固定され、図２に示されるように、上部段板１Ａの先端部と下部段板１Ｂの後端部との間それぞれに蹴込み板２が装着されてなる階段であり、上記各段板１は、上記水平段部３ａに載置固定され、上記各蹴込み板２は、その上端２ａが上記上部段板１Ａの先端部下面に当接され、その背面２ｂが上記鉛直部３ｂに当接され、且つその下端部前面２ｃが上記下部段板１Ｂの後端面に当接されて固定されており、上記鉛直部３ｂの下端部に、上記蹴込み板２の装着案内用の案内部４が設けられ、該案内部４と上記蹴込み板２の背面との間に空間Ｓが形成されている。
【００１３】
上記各ササラ桁３は、段板１を載置固定する水平段部３ａと蹴込み板２を当接固定する鉛直部３ｂとが交互に配された階段状の上縁部を有し、下縁部は傾斜した直線形状となっている。
そして、本形態の階段においては、このような一対のササラ桁３（一方のみ図示する）が互いに対向するように配設され、一対の該ササラ桁における相対向する水平段部３ａ間に段板１が掛け渡されて固定され、蹴込み板２が上部段板の先端部と下部段板の後端部との間に、相対向する鉛直部３ｂ間に掛け渡すようにして装着されている。
本形態の階段における、このような構成については、従来のササラ桁階段におけるのと同様である。尚、図示しないが、各ササラ桁３は、柱や間柱等の構造材に固定されたプラスターボード上にそれぞれビスや釘等の固定具により面接固定されている。
【００１４】
而して、上記各段板１は、その両端部のそれぞれを、上記水平段部３ａに載置固定されている。即ち、水平段部３ａ上に載せられた各段板１の端部は、上方からビスや釘等を打着されて該水平段部３ａに固定されている。また、図３に示すように、各段板１は、その後端面１１が上記鉛直部３ｂの位置Ｐよりも上記蹴込み板２の厚みの分だけ前方に位置するように固定されている。また、図２に示すように、上記各段板１の先端部下面には、溝１２が形成されており、後述の蹴込み板２の上端２ａが該溝１２に嵌合するようになっている。
【００１５】
上記各蹴込み板２は、図２に示すように、その上端２ａが、上部段板１Ａの先端部下面に当接され、その背面２ｂが、ササラ桁３における上記鉛直部３ｂに当接され、且つその下端部前面２ｃが、上記下部段板１Ｂの後端面に当接された状態で、一対のササラ桁３間に掛け渡されて固定されている。尚、上記上部段板１Ａは、個々の蹴込み板２について、その上側に配設されている段板１であり、上記下部段板１Ｂは、個々の蹴込み板２について、その下側に配設されている段板１である。
【００１６】
上記各ササラ桁３は、上記各鉛直部３ｂの下端部に、上記各蹴込み板２の下端部を上記水平段部３ａに固定された下部段板１Ｂの後方にスムーズに挿入可能とする装着案内用の案内部４を有している。
上記各案内部４は、図２に示すように、上記鉛直部３ｂの下端部に切欠形成されており、鉛直線Ｌと平行に形成された鉛直縁部４１と、該鉛直線Ｌに対する角度αが３０度〜９０度、好ましくは４５度〜６０度である傾斜縁部４２とからなる。そして、この案内部４により、上記下部段板１Ｂを取り付けた状態においては、図３に示すように、上記傾斜縁部４２の上端部４２ａと該下部段板１Ｂの後端上部１１ａとの間に上記蹴込み板２の板厚より幅の大きな隙間Ｄが形成され、上記蹴込み板２を装着した状態においては、該案内部４と上記蹴込み板２の背面２ｂと間に所定の空間Ｓが形成されるようになっている。
【００１７】
本形態の階段の施工方法の一例を以下に説明する。尚、本階段の施工方法は、本発明の請求項４に記載の階段の施工方法の一実施形態である。
先ず、一対のササラ桁３、各段板１、各蹴込み板２をプレカットしておき、更に、必要な巾木５等を用意しておく。そして、階段の両側の壁面を想定して配設された柱や間柱にプラスターボートを固定して、上記ササラ桁３を固定する壁面を形成する。
次いで、一対の上記ササラ桁３を、それぞれ互いに対向するように該プラスターボート上に面接固定し、このように対向配置された一対のササラ桁３における相対向する水平段部３ａ間に、各段板１を掛け渡して固定する。
本形態の階段は、各段板１を一対のササラ桁３間に載置固定した状態、即ち図３に示すような状態で、作業用の仮階段として安全に使用可能である。
【００１８】
そして、その後、例えば造作施工の後半において、図４に示すように、各蹴込み板２を下方から順次装着固定する。このとき、各蹴込み板２の下端部は、釘やビス等により各段板１の後端面に止め付けられる。そして、このようにして一対のササラ桁３に固定された上記各段板１の端部及び上記各蹴込み板２の端部上に巾木５を装着する。この巾木５により、上記各段板１を固定する際に用いた釘等の固定具が覆い隠される。このようにして、本形態の階段は、外観美麗に完成する。尚、必要に応じて上記各段板１上に段板化粧板が設けられ、また、その他の仕上げ処理が施される。
【００１９】
この階段の施工方法によれば、上記案内部４により各蹴込み板２の下端部を下部段板１Ｂの後方に楽に挿入でき、更に、該案内部４により蹴込み板２の下端部が図２に示す所定の固定位置に案内されるようになっているので、各蹴込み板２の装着が極めて簡単であり施工時間が短縮される。
【００２０】
次に、本形態の階段の他の施工方法を以下に説明する。尚、本階段の施工方法は、本発明の請求項５に記載の階段の施工方法の一実施形態である。
上記の階段の施工方法と同様に、一対のササラ桁３、各段板１、各蹴込み板２をプレカットしておき、更に、必要な巾木５等を用意しておく。また、階段の両側の壁面を想定して配設された柱や間柱にプラスターボートを固定して、上記ササラ桁３固定用の壁面を、階段を形成する空間の両側に形成する。次いで、一対の上記ササラ桁３を、それぞれ互いに対向するように該プラスターボート上に面接固定し対向配置させる。
【００２１】
本階段の施工方法においては、図５に示すように、上記各蹴込み板２の上端を、対応する上記上部段板１Ａの先端下面に形成された上記溝１２内に嵌合固定して、該蹴込み板２と該上部段板１Ａとを一体化させたものを用意する。
そして、蹴込み板２と上部段板１Ａとの一体化物６それぞれを、対向配置された一対の上記ササラ桁３（一方のみ図示する）に下方から上方に向かって順次取り付ける。この取り付けに際しては、各段板１の両端部を上記水平段部３ａに釘やビス等により固定すると共に、各蹴込み板２の下端部を、釘やビス等により各段板１の後端面１１に止め付ける。
そして、上述した施工方法におけるのと同様に、巾木が装着固定され、必要に応じて上記各段板１上に段板化粧板が設けられ、その他の仕上げ処理が施される。
【００２２】
この階段の施工方法によれば、上記案内部４により各蹴込み板２の下端部を既に固定された下部段板１Ｂの後方に楽に挿入でき、更に、該案内部４により蹴込み板２の下端部が図２に示す所定の固定位置に案内されるようになっているので、蹴込み板２と上部段板１Ａとの一体化物６の取り付けが極めて簡単である。
また、段板１及び蹴込み板２が、下段から順次取り付けられるので、作業効率が良く、安全性でもある。また、予め工場での養生が徹底できる。尚、上記蹴込み板２と上記上部段板１Ａとの一体化は、工場等で行うことが好ましいが、現場作業で行っても良い。また、仮設の段板を設けて作業用の仮階段として使用し、仕上げ時に、該仮設の段板を除去して付け替えるようにしても良い。
【００２３】
本形態の階段によれば、一対の上記ササラ桁３それぞれに、上記案内部４が設けられているため、各段板１のみを固定した状態において作業用の仮階段として使用した後、固定された各段板１間に容易且つ迅速に蹴込み板２を装着して、外観美麗な階段として完成させることができる。
また、一体化された各蹴込み板２及び上部段板１Ａを下方から順次装着して施工することも可能であり、作業効率及び安全性の向上、延いては施工時間の短縮を図ることができる。
また、各蹴込み板２、又は蹴込み板２と上部段板１Ａとの一体化物６を装着する際、上記案内部４が設けられているため、蹴込み板２の下端部と段板１とが強く接触して該蹴込み板２や該段板１に傷や汚れが生じることが防止される。従って、外観美麗な階段となる。
【００２４】
また、上記案内部４により、上記段板のみを固定した状態、即ち上記蹴込み板２を装着する前の状態において、該案内部４の上端部と固定された上記段板１の後端上部１１ａとの間に、上記蹴込み板２の板厚より幅の大きな隙間Ｄが形成されるため、上記蹴込み板２、又は蹴込み板２と上部段板１Ａとの一体化物６の装着を更にスムーズに行うことができる。
【００２５】
以上、本発明の階段及びその施工方法の実施形態について説明したが、本発明は上記実施形態に制限されることなく本発明の趣旨を逸脱しない範囲で適宜変更が可能である。例えば、本発明の階段は、踊り場のない直階段、踊り場を有する直階段、折返し階段、回り階段等、その形式を問わない。
また、上記ササラ桁３は、一つの部材からなるものであっても良いし、複数の部材を、端部が連続するように連設してなるものであっても良い。また、一つのササラ桁３は、一つの壁面に配設されていても良いが、複数の壁面に跨るようにして配設されていても良い。
【００２６】
また、上記案内部４は、上記鉛直縁部４１と上記傾斜縁部４２とからなるものに限られず、上記鉛直縁部４１の上方に円弧状の縁部を有するもの、その全体が円弧状に形成されているもの等、上記蹴込み板２の装着性を向上し得る形状であれば、その形状を問わない。更に、その他各部材の形成材料や寸法等、また、各部材に施される強度や取付性を向上させるために加工等については、本発明の趣旨を逸脱しない範囲内で適宜に変更することができることは言うまでもない。
【００２７】
【発明の効果】
本発明によれば、外観美麗で、施工性に優れた階段及びその施工方法を提供することができる。
【図面の簡単な説明】
【図１】図１は、本発明の階段の一実施形態を模式的に示す断面図である。
【図２】図２は、図１の階段の一部を拡大して示す断面図である。
【図３】図３は、図１の階段における段板のみを固定した状態を示す断面図である。
【図４】図４は、図１の階段の施工方法の一例を説明するための説明図である。
【図５】図５は、図１の階段の施工方法の他の例を説明するための説明図である。
【符号の説明】
１    段板
１１  後端面
１Ａ  上部段板
１Ｂ  下部段板
２    蹴込み板
２ｂ  背面
３    ササラ桁
３ａ  水平段部
３ｂ  鉛直部
４      案内部
４１  鉛直縁部
４２  傾斜縁部
５    巾木
６    蹴込み板と上部段板との一体化物
【図１】
0003989077.tif 000002
【図２】
0003989077.tif 000003
【図３】
0003989077.tif 000004
【図４】
0003989077.tif 000005
【図５】
0003989077.tif 000006